(57)【要約】      （修正有）【課題】待機電力が大きい接続待機時間を最小限にしつつ、より効果的に移動体通信端末が滞在するエリアに応じた情報提供、通話、電子メールの即時着信を行うことが可能な情報提供システムを提供する。【解決手段】最小電力での接続待機状態である移動体通信端末１に取り付けられたＲＦＩＤタグ２に無線電波を発信して当該移動体通信端末１の端末識別情報を読取るＲＦＩＤリーダ３と、第１通信手段を介して移動体通信端末１に情報を提供する情報提供サーバ４と、を備えた情報提供システムである。ＲＦＩＤリーダ３は識別情報送信手段を備え、情報提供サーバ４は識別情報受信手段、端末特定手段、エリア特定手段、情報提供手段、とを備えるように構成する。【選択図】  図１
2004235713.tif 000002
【特許請求の範囲】
【請求項１】
最小電力での接続待機状態である移動体通信端末に取り付けられたＲＦＩＤタグと、
複数のエリアに設置され、当該エリア内に滞在する前記移動体通信端末に取り付けられたＲＦＩＤタグに無線電波を発信して当該移動体通信端末の端末識別情報を読取る複数のＲＦＩＤリーダと、
第１通信手段を介して前記複数のＲＦＩＤリーダに接続され、前記移動体通信端末に情報を提供する情報提供装置と、を備えた情報提供システムであって、
前記ＲＦＩＤリーダは、前記読み取った端末識別情報、及び自己のリーダ識別情報を前記第１通信手段を介して前記情報提供装置に送信する識別情報送信手段を備え、
前記情報提供装置は、
前記送信された端末識別情報、及びリーダ識別情報を受信する識別情報受信手段と、
前記受信された端末識別情報に基づいて、前記移動体通信端末を特定する端末特定手段と、
前記受信されたリーダ識別情報に基づいて、前記ＲＦＩＤリーダが設置されたエリアを特定するエリア特定手段と、
前記特定されたエリアに応じた情報を前記特定された移動体通信端末に提供する情報提供手段と、を備えることを特徴とする情報提供システム。
【請求項２】
請求項１に記載の情報提供システムにおいて、
前記情報提供装置は、移動体通信網に接続されており、
前記情報提供手段は、前記移動体通信網及び無線基地局を介して前記情報を前記移動体通信端末に提供することを特徴とする情報提供システム。
【請求項３】
請求項１に記載の情報提供システムにおいて、
前記情報提供手段は、前記特定されたエリア内若しくはその近傍に無線通信機器が設置されているか否かを判断し、設置されている場合には、第１通信手段を介して前記ＲＦＩＤリーダに、前記移動体通信端末において最小電力での接続待機状態を解除するための指示情報を提供し、
前記ＲＦＩＤリーダは、前記提供された情報に対応する無線電波を前記ＲＦＩＤタグに発信し、
前記ＲＦＩＤタグは、前記ＲＦＩＤリーダから発信された無線電波の起電力を利用して電圧を発生し、前記移動体通信端末に最小電力での接続待機状態を解除するためのトリガ信号を出力することを特徴とする情報提供システム。
【請求項４】
請求項１または２に記載の情報提供システムにおいて、
前記情報提供手段は、前記特定されたエリア内若しくはその近傍に店舗が設置されているか否かを判断し、設置されている場合には、その店舗に関する情報を前記移動体通信端末に提供することを特徴とする情報提供システム。
【請求項５】
請求項４に記載の情報提供システムにおいて、
前記店舗に関する情報には、その店舗の情報を公開するＷｅｂサイトのＵＲＬ若しくはＵＲＩが含まれることを特徴とする情報提供システム。
【請求項６】
請求項１または２に記載の情報提供システムにおいて、
前記情報提供手段は、前記特定されたエリアが前記移動体通信端末の使用制限されているか否かを判断し、使用制限されている場合には、使用制限情報を前記移動体通信端末に提供することを特徴とする情報提供システム。
【請求項７】
請求項６に記載の情報提供システムにおいて、
前記使用制限情報には、前記移動体通信端末のマナーモード設定指示を示す情報若しくはオフラインモード設定指示を示す情報が含まれていることを特徴とする情報提供システム。
【請求項８】
請求項１または２に記載の情報提供システムにおいて、
前記情報提供手段は、前記特定されたエリア内若しくはその近傍に無線通信機器が設置されているか否かを判断し、設置されている場合には、その無線通信機器との通信を実行する指示情報を前記移動体通信端末に提供することを特徴とする情報提供システム。
【請求項９】
請求項８に記載の情報提供システムにおいて、
前記情報提供装置は、第２通信手段を介して前記無線通信機器に接続されており、
前記情報提供手段は、前記移動体通信端末と前記無線通信機器との通信が確立した場合、前記第２通信手段及び前記無線通信機器を介して前記情報を前記移動体通信端末に提供することを特徴とする情報提供システム。
【請求項１０】
請求項９に記載の情報提供システムにおいて、前記特定されたエリア内若しくはその近傍に店舗が設置されているか否かを判断し、設置されている場合には、前記情報提供手段は、その店舗に関する情報を前記移動体通信端末に提供することを特徴とする情報提供システム。
【請求項１１】
請求項１０に記載の情報提供システムにおいて、
前記店舗に関する情報には、その店舗の情報を公開するＷｅｂサイトのＵＲＬ若しくはＵＲＩが含まれることを特徴とする情報提供システム。
【請求項１２】
請求項８に記載の情報提供システムにおいて、
前記移動体通信端末と前記無線通信機器との通信が確立した場合、当該移動体通信端末は、当該無線通信機器経由で他の移動体通信端末と通話若しくは電子メールの送受信を行うことを特徴とする情報提供システム。
【請求項１３】
複数のエリアに設置され、当該エリア内に滞在する移動体通信端末に取り付けられたＲＦＩＤタグから当該移動体通信端末の端末識別情報を読取る複数のＲＦＩＤリーダに第１通信手段を介して接続され、前記移動体通信端末に情報を提供する情報提供装置であって、
前記ＲＦＩＤリーダによって読み取られた端末識別情報、及び前記ＲＦＩＤリーダのリーダ識別情報を、前記第１通信手段を介して前記ＲＦＩＤリーダから受信する識別情報受信手段と、
前記受信された端末識別情報に基づいて、前記移動体通信端末を特定する端末特定手段と、
前記受信されたリーダ識別情報に基づいて、前記ＲＦＩＤリーダが設置されたエリアを特定するエリア特定手段と、
前記特定されたエリアに応じた情報を前記特定された移動体通信端末に提供する情報提供手段と、を備えることを特徴とする情報提供装置。
【請求項１４】
複数のエリアに設置され、当該エリア内に滞在する移動体通信端末に取り付けられたＲＦＩＤタグから当該移動体通信端末の端末識別情報を読取る複数のＲＦＩＤリーダに第１通信手段を介して接続され、前記移動体通信端末に情報を提供するコンピュータを、
前記ＲＦＩＤリーダによって読み取られた端末識別情報、及び前記ＲＦＩＤリーダのリーダ識別情報を、前記第１通信手段を介して前記ＲＦＩＤリーダから受信する識別情報受信手段と、
前記受信された端末識別情報に基づいて、前記移動体通信端末を特定する端末特定手段と、
前記受信されたリーダ識別情報に基づいて、前記ＲＦＩＤリーダが設置されたエリアを特定するエリア特定手段と、
前記特定されたエリアに応じた情報を前記特定された移動体通信端末に提供する情報提供手段として機能させることを特徴とする情報提供処理プログラム。
【請求項１５】
請求項３に記載の移動体通信端末であって、
前記ＲＦＩＤタグから出力されたトリガ信号に基づいて、最小電力での接続待機状態を解除し待機電力を上げることを特徴とする移動体通信端末。
【発明の詳細な説明】
【０００１】
【発明の属する技術分野】
本発明は、ＲＦＩＤ（Ｒａｄｉｏ  Ｆｒｅｑｕｅｎｃｙ  Ｉｄｅｎｔｉｆｉｃａｔｉｏｎ）を利用して、移動体通信端末に情報を提供するシステム等の技術分野に関する。
【０００２】
【従来の技術】
近年、携帯電話機等の移動体通信端末が益々高機能化されており、移動体通信端末のユーザは、インターネット上の情報提供サーバから移動体通信網及び無線基地局を介して情報提供を受けるばかりでなく、Ｂｌｕｅｔｏｏｔｈ（登録商標）による無線通信、ＧＰＳ（Ｇｌｏｂａｌ  Ｐｏｓｉｔｉｏｎｉｎｇ  Ｓｙｓｔｅｍ）からの放送、無線ＬＡＮ（Ｌｏｃａｌ  Ａｒｅａ  Ｎｅｔｗｏｒｋ）による無線通信等、様々なメディアを介してより効果的に情報提供を受けることができるようになっている。
【０００３】
特に、最近では、ユーザは、移動体通信端末の現在位置に応じた情報提供を受けることができるようになっている。例えば、移動体通信端末は、ＧＰＳ（Ｇｌｏｂａｌ  Ｐｏｓｉｔｉｏｎｉｎｇ  Ｓｙｓｔｅｍ）衛星からの放送電波を受けて自己の位置情報を検出し、それをインターネット上の情報提供サーバに送信、そして、その情報提供サーバから移動体通信端末の位置情報に応じた情報の提供を受けることができる。
【特許文献１】
特開２００２−１９７１０９公報
また、特許文献１において開示されたシステムでは、Ｂｌｕｅｔｏｏｔｈ（登録商標）による無線通信により、店舗等の前を通りかかったユーザの移動体通信端末に広告情報、クーポン券等の割引情報を提供することができるようになっている。
【０００４】
さらに、無線ＬＡＮによる無線通信においても、アクセスポイントから移動体通信端末に種々の情報を提供することができる。
【０００５】
【発明が解決しようとする課題】
ところで、このように移動体通信端末が高機能化されてくると、必然的に消費電力（無線ＬＡＮ等に接続するための待機電力）が高くなり、移動体通信端末が常時送受信待機していることは困難になってくる。このため、移動体通信端末は、例えば、待機電力が大きい無線ＬＡＮ等への接続（インターフェース）待機をオフにし、移動体通信網への接続（２Ｇ，３Ｇレイヤ（通信レイヤ）でのＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ等の接続方式による）待機のみオンにすることによって、最小電力で待機する設定を行うことができる。
【０００６】
しかしながら、移動体通信端末が、このように最小電力で待機する場合、上述した様々なメディアを介して、より効果的に情報提供を受けることができなくなり、例えば、ユーザは、移動体通信端末の現在位置に応じた情報提供を受けるのは困難になるという問題がある。また、移動体通信網への接続待機のみであっても、移動体通信端末が、どの無線基地局に属するかを通信事業者の着信コントロールシステムでは認識しているが、これをアプリケーションとして外部から把握することはできないという問題がある。
【０００７】
さらに、移動体通信端末が、このように最小電力で待機する場合、例えば、無線ＬＡＮはオフの状態になっているため、無線ＬＡＮを介して音声（通話）及び電子メールの着信を効果的（即時的）行うことができなくなるという問題もある。
【０００８】
そこで、本発明は、上記問題の解消を一つの課題とし、待機電力が大きい接続待機時間を最小限にしつつ、より効果的に移動体通信端末が滞在するエリアに応じた情報提供、通話、電子メールの即時的着信を行うことが可能な情報提供システム、情報提供装置、情報提供処理プログラム及び移動体通信端末を提供することを目的とする。
【０００９】
【課題を解決するための手段】
請求項１に記載の発明は、最小電力での接続待機状態である移動体通信端末に取り付けられたＲＦＩＤタグと、複数のエリアに設置され、当該エリア内に滞在する前記移動体通信端末に取り付けられたＲＦＩＤタグに無線電波を発信して当該移動体通信端末の端末識別情報を読取る複数のＲＦＩＤリーダと、第１通信手段を介して前記複数のＲＦＩＤリーダに接続され、前記移動体通信端末に情報を提供する情報提供装置と、を備えた情報提供システムであって、前記ＲＦＩＤリーダは、前記読み取った端末識別情報、及び自己のリーダ識別情報を前記第１通信手段を介して前記情報提供装置に送信する識別情報送信手段を備え、前記情報提供装置は、前記送信された端末識別情報、及びリーダ識別情報を受信する識別情報受信手段と、前記受信された端末識別情報に基づいて、前記移動体通信端末を特定する端末特定手段と、前記受信されたリーダ識別情報に基づいて、前記ＲＦＩＤリーダが設置されたエリアを特定するエリア特定手段と、前記特定されたエリアに応じた情報を前記特定された移動体通信端末に提供する情報提供手段と、を備えるように構成する。
【００１０】
ここで、移動体通信端末には、例えば、携帯電話機、ＰＨＳ（Ｐｅｒｓｏｎａｌ  Ｈａｎｄｙ−Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等が含まれる。
【００１１】
請求項１に記載の発明によれば、情報提供装置がＲＦＩＤリーダから送信された端末識別情報及びリーダ識別情報に基づき、移動体通信端末が滞在するエリアを特定し、そのエリアに応じた情報を移動体通信端末に提供する。従って、移動体通信端末が最小電力で接続待機する状態であっても、移動体通信端末に対し、より効果的にその移動体通信端末が滞在するエリアに応じた情報を提供することができる。また、待機電力が大きい接続待機時間を最小限にすることができる。
【００１２】
請求項２に記載の発明は、請求項１に記載の情報提供システムにおいて、前記情報提供装置は、移動体通信網に接続されており、前記情報提供手段は、前記移動体通信網及び無線基地局を介して前記情報を前記移動体通信端末に提供するように構成する。
【００１３】
請求項３に記載の発明は、請求項１に記載の情報提供システムにおいて、前記情報提供手段は、前記特定されたエリア内若しくはその近傍に無線通信機器が設置されているか否かを判断し、設置されている場合には、第１通信手段を介して前記ＲＦＩＤリーダに、前記移動体通信端末において最小電力での接続待機状態を解除するための指示情報を提供し、前記ＲＦＩＤリーダは、前記提供された情報に対応する無線電波を前記ＲＦＩＤタグに発信し、前記ＲＦＩＤタグは、前記ＲＦＩＤリーダから発信された無線電波の起電力を利用して電圧を発生し、前記移動体通信端末に最小電力での接続待機状態を解除するためのトリガ信号を出力するように構成する。
【００１４】
請求項３に記載の発明によれば、移動体通信端末は、トリガ信号によって移動体通信端末が最小電力での接続待機することを解除し、通常電力での接続待機状態に移行することができる。
【００１５】
請求項４に記載の発明は、請求項１または２に記載の情報提供システムにおいて、前記情報提供手段は、前記特定されたエリア内若しくはその近傍に店舗が設置されているか否かを判断し、設置されている場合には、その店舗に関する情報を前記移動体通信端末に提供するように構成する。
【００１６】
請求項４に記載の発明によれば、移動体通信端末のユーザは、自分がいるエリア内若しくはその近傍に設置された店舗に関する情報を簡単に取得することができる。
【００１７】
請求項５に記載の発明は、請求項４に記載の情報提供システムにおいて、前記店舗に関する情報には、その店舗の情報を公開するＷｅｂサイトのＵＲＬ（Ｕｎｉｆｏｒｍ  Ｒｅｓｏｕｒｃｅ  Ｌｏｃａｔｏｒ）若しくはＵＲＩ（Ｕｎｉｆｏｒｍ  Ｒｅｓｏｕｒｃｅ  Ｉｎｄｉｃａｔｏｒ）が含まれるように構成する。
【００１８】
請求項５に記載の発明によれば、自分がいるエリア内若しくはその近傍に設置された店舗に関する情報をインターネット上で簡単に取得することができる。
【００１９】
請求項６に記載の発明は、請求項１または２に記載の情報提供システムにおいて、前記情報提供手段は、前記特定されたエリアが前記移動体通信端末の使用制限されているか否かを判断し、使用制限されている場合には、使用制限情報を前記移動体通信端末に提供するように構成する。
【００２０】
請求項７に記載の発明は、請求項６に記載の情報提供システムにおいて、前記使用制限情報には、前記移動体通信端末のマナーモード設定指示を示す情報若しくはオフラインモード設定指示を示す情報が含まれているように構成する。
【００２１】
ここで、マナーモード設定とは、公共の場所等で着信音、話し声等によって他人に迷惑をかけないように移動体通信端末の機能を設定することをいい、例えば、着信音が鳴らないようにしたり、着信音が鳴る機能から移動体通信端末が振動する機能に変更したり、マイクの感度を上げて小さな声でも話ができるようにすることが該当する。また、オフラインモード設定とは、移動体通信端末が通信ができないように設定することをいい、移動体通信端末の電源オフするようにすることもこれに含まれる。
【００２２】
請求項７に記載の発明によれば、移動体通信端末は、自己が滞在するエリアが使用制限されている場合、自動的に、マナーモード設定若しくはオフラインモード設定にすることができる。
【００２３】
請求項８に記載の発明は、請求項１または２に記載の情報提供システムにおいて、前記情報提供手段は、前記特定されたエリア内若しくはその近傍に無線通信機器が設置されているか否かを判断し、設置されている場合には、その無線通信機器との通信を実行する指示情報を前記移動体通信端末に提供するように構成する。
【００２４】
請求項９に記載の発明は、請求項８に記載の情報提供システムにおいて、前記情報提供装置は、第２通信手段を介して前記無線通信機器に接続されており、前記情報提供手段は、前記移動体通信端末と前記無線通信機器との通信が確立した場合、前記第２通信手段及び前記無線通信機器を介して前記情報を前記移動体通信端末に提供するように構成する。
【００２５】
請求項１０に記載の発明は、請求項９に記載の情報提供システムにおいて、前記特定されたエリア内若しくはその近傍に店舗が設置されているか否かを判断し、設置されている場合には、前記情報提供手段は、その店舗に関する情報を前記移動体通信端末に提供するように構成する。
【００２６】
請求項１１に記載の発明は、請求項１０に記載の情報提供システムにおいて、前記店舗に関する情報には、その店舗の情報を公開するＷｅｂサイトのＵＲＬ若しくはＵＲＩが含まれるように構成する。
【００２７】
請求項１２に記載の発明は、請求項８に記載の情報提供システムにおいて、前記情報提供手段は、前記特定されたエリア内若しくはその近傍に無線通信機器が設置されているか否かを判断し、設置されている場合には、その無線通信機器との通信を実行する指示情報を前記移動体通信端末に提供し、前記移動体通信端末と前記無線通信機器との通信が確立した場合、当該移動体通信端末は、当該無線通信機器経由で他の移動体通信端末と通話若しくは電子メールの送受信を行うように構成する。
【００２８】
請求項１２に記載の発明によれば、移動体通信端末は、最小電力での接続待機状態であっても、無線通信機器経由で音声や、電子メールの即時的着信を行うことができる。
【００２９】
請求項１３に記載の発明は、複数のエリアに設置され、当該エリア内に滞在する移動体通信端末に取り付けられたＲＦＩＤタグから当該移動体通信端末の端末識別情報を読取る複数のＲＦＩＤリーダに第１通信手段を介して接続され、前記移動体通信端末に情報を提供する情報提供装置であって、前記ＲＦＩＤリーダによって読み取られた端末識別情報、及び前記ＲＦＩＤリーダのリーダ識別情報を、前記第１通信手段を介して前記ＲＦＩＤリーダから受信する識別情報受信手段と、前記受信された端末識別情報に基づいて、前記移動体通信端末を特定する端末特定手段と、前記受信されたリーダ識別情報に基づいて、前記ＲＦＩＤリーダが設置されたエリアを特定するエリア特定手段と、前記特定されたエリアに応じた情報を前記特定された移動体通信端末に提供する情報提供手段と、を備えるように構成する。
【００３０】
請求項１４に記載の発明は、複数のエリアに設置され、当該エリア内に滞在する移動体通信端末に取り付けられたＲＦＩＤタグから当該移動体通信端末の端末識別情報を読取る複数のＲＦＩＤリーダに第１通信手段を介して接続され、前記移動体通信端末に情報を提供するコンピュータを、前記ＲＦＩＤリーダによって読み取られた端末識別情報、及び前記ＲＦＩＤリーダのリーダ識別情報を、前記第１通信手段を介して前記ＲＦＩＤリーダから受信する識別情報受信手段と、前記受信された端末識別情報に基づいて、前記移動体通信端末を特定する端末特定手段と、前記受信されたリーダ識別情報に基づいて、前記ＲＦＩＤリーダが設置されたエリアを特定するエリア特定手段と、前記特定されたエリアに応じた情報を前記特定された移動体通信端末に提供する情報提供手段として機能させるように構成する。
【００３１】
請求項１５に記載の発明は、請求項３に記載の移動体通信端末であって、前記ＲＦＩＤタグから出力されたトリガ信号に基づいて、最小電力での接続待機状態を解除し待機電力を上げるように構成する。
【００３２】
【発明の実施の形態】
以下、本発明の好適な実施の形態を添付図面に基づいて説明する。
【００３３】
先ず、本実施形態にかかる情報提供システムＳの構成及び機能について説明する。
【００３４】
図１は、情報提供システムＳの概要構成例を示した図である。図１に示すように、情報提供システムＳは、移動体通信端末としての携帯電話機１と、携帯電話機１に取り付けられたＲＦＩＤタグ２と、ＲＦＩＤタグ２との間で無線電波により非接触でデータの送受信を行う複数のＲＦＩＤリーダ（ＲＦＩＤリーダ・ライタ）３と、携帯電話機１に情報を提供する情報提供装置としての情報提供サーバ４及びコンテンツサーバ６と、例えば、無線ＬＡＮに接続するための無線通信機器（アクセスポイント）５と、を含んで構成されている。なお、本実施形態においては、ＲＦＩＤリーダ３は、３つのエリア（エリア１からエリア３）に設置されており、それぞれ第１通信手段としての通信回線７を介して情報提供サーバ４に接続されている。また、情報提供サーバ４は、第２通信手段としての通信回線８を介してコンテンツサーバ６に接続されているとともに、移動体通信網（交換局も含む）９にも接続されている。
【００３５】
次に、携帯電話機１の構成及び機能について説明する。
【００３６】
図２は、携帯電話機１の機能ブロック例を示した図である。図２に示すように、携帯電話機１は、無線基地局１０を介してアンテナＡＴ１から入力された音声データを含む各種情報（データ）を受信する受信部１１ａと、各種情報の種別を解析する受信データ解析部１１ｂと、音声データを拡声するスピーカ１２ａと、携帯電話機１を振動させるバイブレータ１２ｂと、各種情報や操作内容選択項目等を表示する表示部１３と、ユーザの声等を含む音声を入力するマイク１４ａと、入力された音声を認識する音声認識部１４ｂと、認識された音声に基づいて送信すべき音声データを生成する送信データ生成部１５ａと、生成された音声データ若しくは情報要求データ等をアンテナＡＴ１を介して無線基地局１０に送信する送信部１５ｂと、アンテナＡＴ２を介して無線通信機器５との間で無線によるデータ通信を行う通信部１６と、着脱可能なカード型記録媒体等の不揮発性メモリ１７と、ユーザからの操作指示を受け付ける操作ボタン等の操作部１８と、上記各構成要素の動作制御、及び通信制御等を行うシステム制御部１９と、を含んで構成されている。なお、図示しないが、上記各構成要素の他にも、電源を供給するバッテリー、ＧＰＳ衛星から電波を受信するＧＰＳ受信機、Ｂｌｕｅｔｏｏｔｈ（登録商標）送受信機等を含んでいる。
【００３７】
さらに、携帯電話機１には、ＲＦＩＤタグ２が取り付けられており、ＲＦＩＤタグ２は、携帯電話機１と電気的に接続されている。なお、ＲＦＩＤタグ２は、携帯電話機１の筐体内に取り付けられても、筐体外に取り付けられてもよい。
【００３８】
また、本実施形態における携帯電話機１は、最小電力での接続待機状態と、通常電力での接続待機状態との２つの状態を設定することができ、普段は、最小電力での接続待機状態に設定されている。最小電力での接続待機状態の場合には、移動体通信網９にのみ接続待機しており、待機電力が大きい無線ＬＡＮ等への接続待機をオフにしている。この場合、携帯電話機１は、無線基地局１０及び移動体通信網９を介して他の電話機、及び情報提供サーバ４と通信を行うことができるが、無線通信機器５の無線通信可能な範囲内にあっても、当該無線通信機器５との通信ができない（つまり、無線ＬＡＮへの接続不能）。
【００３９】
一方、通常電力での接続待機状態の場合には、携帯電話機１は、移動体通信網９ばかりでなく、無線ＬＡＮ等への接続待機もオンにしており、例えば、無線通信機器５を介して情報提供サーバ４や、コンテンツサーバ６との通信もできるようになっている。
【００４０】
ここで、システム制御部１９は、ＣＰＵ（Ｃｅｎｔｒａｌ  Ｐｒｏｃｅｓｓｉｎｇ  Ｕｎｉｔ），発振回路，各種動作制御のためのプログラム（例えば、Ｊａｖａ（登録商標）プログラム）およびデータを記憶するＲＯＭ（Ｒｅａｄ−Ｏｎｌｙ  Ｍｅｍｏｒｙ），作業領域としてのＲＡＭ（Ｒａｎｄｏｍ−Ａｃｃｅｓｓ  Ｍｅｍｏｒｙ）等により構成されており、ＣＰＵがプログラムを実行することにより、動作制御機能、通信制御機能、及びブラウザ機能を有するようになっている。
【００４１】
また、システム制御部１９は、ユーザからの操作部１８を介した指示、又は情報提供サーバ２からの移動体通信網９及び無線基地局１０を介した指示（無線通信機器との通信を実行する指示情報）、更にはＲＦＩＤタグ２からの指示（トリガ信号）によって、最小電力での接続待機状態を解除し待機電力を上げて通常電力で接続待機状態に切り換えるようになっている。
【００４２】
また、携帯電話機１は、情報提供サーバ４若しくはコンテンツサーバ６からの情報の提供を受け、かかる情報に基づいた処理を実行するようになっている。例えば、携帯電話機１は、提供された情報をブラウザ機能により表示部１３に表示させたり、スピーカ１２ａから出力させたり、マナーモード等に設定したりする。
【００４３】
ここで、情報提供サーバ４若しくはコンテンツサーバ６から提供される情報は、携帯電話機１が滞在するエリアに応じた情報である。エリアに応じた情報は、例えば、そのエリア内若しくはその近傍に店舗が設置されている場合、その店舗に関する情報（例えば、宣伝・広告情報、或いは、その店舗の情報を公開するＷｅｂサイトのＵＲＬ若しくはＵＲＩ）であったり、或いは、そのエリア内若しくはその近傍に無線通信機器が設置されている場合、その無線通信機器との通信を実行する指示情報であったり、更には、そのエリアが携帯電話機１の使用制限されているエリア（電車やバスの中）の場合、携帯電話機１のマナーモード設定指示を示す情報やオフラインモード設定指示を示す情報を含む使用制限情報である。また、携帯電話機１がどのエリアに滞在するかの判断は、後述するように、情報提供サーバ４によって、携帯電話機１の電話番号等の端末識別情報、及びＲＦＩＤリーダ３のリーダ識別情報に基づいて判断される。
【００４４】
また、携帯電話機１は、ユーザが操作部１８を操作してＷｅｂサイトのＵＲＬ若しくはＵＲＩを指定すると、通信制御機能及びブラウザ機能により、無線基地局１０、移動体通信網９、及びゲートウェイ（図示せず）を介してインターネット（図示せず）に接続し、当該インターネット上におけるサーバから所望の情報（画像データや音声データ）の提供を受けることができる。
【００４５】
次に、ＲＦＩＤタグ２及びＲＦＩＤリーダ３の構成及び機能について説明する。
【００４６】
図３は、ＲＦＩＤタグ２及びＲＦＩＤリーダ３の機能ブロック例を示した図である。図３に示すように、ＲＦＩＤタグ２は、アンテナ、符号化回路及び複合化回路等により構成され、無線電波を送受信するアンテナ部２１と、アンテナ部２１にて受信された無線電波の起電力を利用して直流電圧を発生し、それを電源として各構成要素に供給する電源部２２と、携帯電話機１及びＲＦＩＤリーダ３との交信制御を行う交信制御部２３と、携帯電話機１の電話番号等の端末識別情報を記憶する不揮発性メモリ２４と、を備えて構成されている。
【００４７】
一方、ＲＦＩＤリーダ３は、アンテナ、符号化回路及び複合化回路等により構成され、無線電波を送受信するアンテナ部３１と、ＲＦＩＤタグ２及び、Ｉ／Ｆ（インターフェース）部３３を介して情報提供サーバ４との交信制御を行う交信制御部３２と、ＲＦＩＤリーダ３のリーダ識別情報を記憶する不揮発性メモリ３４と、を備えて構成されている。なお、不揮発性メモリ３４に記憶されたリーダ識別情報は、各エリアに設置されたＲＦＩＤリーダ３毎に異なっている。また、ＲＦＩＤタグ２及びＲＦＩＤリーダ３との間で使用される無線電波の周波数は、例えば数ＧＨｚとし、携帯電話機１が無線基地局１０との通信に使用する周波数とは異なるようにする。また、図示しないが、ＲＦＩＤリーダ３への電源は、内臓バッテリー或いは、外部ＡＣ電源からアダプタを介して供給される。
【００４８】
ここで、図１に示すエリア（１〜３）は、各ＲＦＩＤリーダ３がＲＦＩＤタグ２との間で無線電波により非接触でデータの送受信が可能な範囲を示しており、この範囲は、アンテナの指向性によって異なるが、例えば、３ｍから３００ｍの範囲である（用途によって範囲を設定）。そして、図１に示すように、携帯電話機１がエリア１に滞在する場合、エリア１のＲＦＩＤリーダ３は、その携帯電話機１に取り付けられたＲＦＩＤタグ２から当該携帯電話機１の端末識別情報を読取る。より具体的には、ＲＦＩＤリーダ３の交信制御部３２は、アンテナ部３１に高周波電力を供給させ、端末識別情報の読取りを行うための無線電波を発信させる。その無線電波をアンテナ部２１で受信したＲＦＩＤタグ２では、交信制御部２３が端末識別情報を不揮発性メモリ２４から読み出し、かかる端末識別情報に対応する強度で反射電波を変化させるように、アンテナ部２１を制御し、反射電波を発信させる。そして、その反射電波をアンテナ部３１で受信したＲＦＩＤリーダ３では、アンテナ部３１がその反射電波を電気信号に変換し、交信制御部３２がその電気信号から端末識別情報を読取る。
【００４９】
また、ＲＦＩＤリーダ３の交信制御部３２は、端末識別情報を読取ると、本発明の識別情報送信手段として機能し、その端末識別情報と、不揮発性メモリ３４に記憶されたリーダ識別情報をＩ／Ｆ部３３及び通信回線７を介して情報提供サーバ４に送信する。
【００５０】
なお、情報提供サーバ４が通信回線７を介してＲＦＩＤリーダ３に情報を提供することもでき、この場合、ＲＦＩＤリーダ３は、かかる情報に対応する無線電波を発信し、ＲＦＩＤタグ２は、その無線電波を受信しその情報を読取ることになる。これにより、不揮発性メモリ２４に記憶された端末識別情報を書き換えることもでき、また、携帯電話機１に最小電力での接続待機状態を解除するためのトリガ信号を出力するように設定することもできる。
【００５１】
次に、情報提供サーバ４の構成及び機能について説明する。
【００５２】
図４は、情報提供サーバ４の機能ブロック例を示した図である。図４に示すように、情報提供サーバ４は、通信部４１、制御部４２、及び記憶部４３を含んで構成されている。通信部４１は、通信回線７、通信回線８、及び移動体通信網９に接続されており、制御部４２からの指示に従って何れかの通信経路を選択してＲＦＩＤリーダ３、コンテンツサーバ６、及び携帯電話機１と通信を行う機能を有する。なお、通信回線７と通信回線８は、同一の通信回線であってもよい。
【００５３】
記憶部４３は、ハードディスク等の大容量記録媒体から構成され、ここには、端末情報データベース４３ａ、エリア情報データベース４３ｂ、及び提供情報データベース４３ｃが構築されている。
【００５４】
端末情報データベース４３ａには、携帯電話機１を含む多くの携帯電話機の電話番号等の端末識別情報と、それに対応付けられたアドレス情報が登録されている。
【００５５】
エリア情報データベース４３ｂには、各エリア毎に、例えば、そのエリアに設置されたＲＦＩＤリーダ３のリーダ識別情報、そのエリア内若しくはそのエリア近傍に店舗が設置されているか否かを示す情報（設置された店舗の店舗識別情報も含む）、そのエリア内若しくはそのエリア近傍に無線通信機器が設置されているか否かを示す情報、更には、そのエリアが携帯電話機１の使用制限がされているエリアであるか否かを示す情報、などの情報が登録されている。
【００５６】
提供情報データベース４３ｃには、携帯電話機１に提供すべき情報が登録されており、例えば、店舗の店舗識別情報に対応付けられてその店舗に関する情報（例えば、宣伝・広告情報、或いは、その店舗の情報を公開するＷｅｂサイトのＵＲＬ若しくはＵＲＩ）、携帯電話機１に無線通信機器との通信を実行する指示情報、更には、携帯電話機１の使用制限情報として携帯電話機１のマナーモード設定指示を示す情報若しくはオフラインモード設定指示を示す情報、などの情報が登録されている。
【００５７】
制御部４２は、ＣＰＵ，発振回路，各種動作制御のためのプログラムおよびデータを記憶する記憶するＲＯＭ，作業領域としてのＲＡＭ等により構成されており、ＣＰＵがプログラム（情報提供処理プログラムを含む）を実行することにより、通信部４１の制御を行うとともに、本発明の識別情報受信手段、端末特定手段、エリア特定手段、及び情報提供手段として機能するようになっている。より具体的には、制御部４２は、識別情報受信手段として機能し、ＲＦＩＤリーダ３から送信された端末識別情報、及びリーダ識別情報を受信する。また、制御部４２は、端末特定手段として機能し、記憶部４３における端末情報データベース４３ａを参照して、受信された端末識別情報に基づいて、携帯電話機１を特定する。また、制御部４２は、エリア特定手段として機能し、エリア情報データベース４３ｂを参照して、受信されたリーダ識別情報に基づいて、ＲＦＩＤリーダ３が設置されたエリアを特定する。
【００５８】
そして、制御部４２は、通信部４１と共に情報提供手段として機能し、特定されたエリアに応じた情報、例えば、提供情報データベース４３ｃに登録された情報を特定された携帯電話機１に提供する。例えば、情報提供サーバ４の制御部４２は、上記情報を、移動体通信網９及び無線基地局１０を介して携帯電話機１に送信することによって提供する。
【００５９】
なお、コンテンツサーバ６は、情報提供サーバ４と同様、通信部、制御部、及び記憶部を含んで構成されており、各エリアに応じた画像、音声データ（楽曲データ）などのコンテンツ情報を登録するコンテンツデータベースを備えている。そして、情報提供サーバ６からの指示若しくは、携帯電話機１から要求に応じ、無線通信機器５を介して携帯電話機１にコンテンツ情報を提供するようになっている。
【００６０】
次に、情報提供システムＳの動作について説明する。
【００６１】
例えば、ＲＦＩＤタグ２が取り付けられた携帯電話機１を持ったユーザが、例えば、エリア１に入った場合、ＲＦＩＤリーダ３は、上述したように、その携帯電話機１に取り付けられたＲＦＩＤタグ２に無線電波を発信して携帯電話機１の電話番号等の端末識別情報を読取り、その端末識別情報、及び自己のリーダ識別情報を通信回線７を介して情報提供サーバ４に送信する。
【００６２】
次に、情報提供サーバ４は、ＲＦＩＤリーダ３から送信された端末識別情報、及びリーダ識別情報を受信すると、図５に示す処理を実行することになる。
【００６３】
図５は、情報提供サーバ４の制御部４２の処理を示すフローチャートである。
【００６４】
図５の処理において、先ず、情報提供サーバ４の制御部４２は、記憶部４３における端末情報データベース４３ａを参照して、受信された端末識別情報に基づいて、携帯電話機１を特定する（ステップＳ１）。
【００６５】
次に、制御部４２は、エリア情報データベース４３ｂを参照して、受信されたリーダ識別情報に基づいて、ＲＦＩＤリーダ３が設置されたエリアを特定する（ステップＳ２）。本実施形態においては、当該リーダ識別情報によりエリア１が特定されることになる。
【００６６】
次に、制御部４２は、エリア情報データベース４３ｂ及び提供情報データベース４３ｃを参照して特定されたエリアに応じた情報を抽出する（ステップＳ３）。例えば、エリア情報データベース４３ｂに基づき、特定されたエリア内若しくはその近傍に店舗が設置されているか否かが判断され、店舗が設置されている場合には、その店舗の店舗識別情報に対応する店舗に関する情報（例えば、宣伝・広告情報、或いは、その店舗の情報を公開するＷｅｂサイトのＵＲＬ若しくはＵＲＩ）が提供情報データベース４３ｃから抽出される。また、特定されたエリア内若しくはその近傍に無線通信機器が設置されているか否かが判断され、無線通信機器が設置されている場合には、無線通信機器との通信を実行する指示情報が提供情報データベース４３ｃから抽出される。また、特定されたエリアが携帯電話機１の使用制限がされているエリアであるか否かが判断され、使用制限エリアである場合には、使用制限情報、例えば、マナーモード設定指示を示す情報若しくはオフラインモード設定指示を示す情報が提供情報データベース４３ｃから抽出される。
【００６７】
次に、制御部４２は、抽出したエリアに応じた情報を、特定された携帯電話機１に提供する（ステップＳ４）。例えば、制御部４２は、特定された携帯電話機１の電話番号に基づき通信回線を確立し、上記情報を、移動体通信網９及び無線基地局１０を介して携帯電話機１に送信する。或いは、制御部４２は、上記情報をパケットデータに分割し、それらにヘッダ情報（携帯電話機１のアドレス情報及び当該パケットデータが全体の通信データの中のどの位置にあるのかを示すパケット位置情報が含まれる）を付与して、移動体通信網９及び無線基地局１０を介して携帯電話機１に送信する。
【００６８】
こうして携帯電話機１にエリアに応じた情報が提供されると、携帯電話機１は、そのエリアに応じた情報に基づいた処理を実行する。例えば、エリアに応じた情報が、店舗に関する宣伝・広告情報であった場合、携帯電話機１は、その情報（例えば、店舗の今日のメニュー或いは、クーポン券など）を表示部１３に表示したり、店舗の案内をスピーカ１２ａから出力したりしてユーザに提示する。例えば、エリアに応じた情報が、店舗の情報を公開するＷｅｂサイトのＵＲＬ若しくはＵＲＩであった場合、携帯電話機１は、そのＵＲＬに基づきインターネット上のサーバから情報を取得しユーザに提示する。
【００６９】
また、例えば、エリアに応じた情報が、無線通信機器との通信を実行する指示情報である場合、携帯電話機１は、最小電力での接続待機状態を解除し待機電力を上げて通常電力で接続待機状態に切り換え、そのエリア内若しくはそのエリア近傍に設置された無線通信機器５との無線通信を開始する。コンテンツサーバ６は、かかる無線通信の開始を受け、そのエリアに応じた画像、音声データ（例えば、そのエリア内若しくは近傍に設置された店舗のより詳しい情報、或いは、そのエリアに存在する公共施設の情報等）を無線通信機器５を介して携帯電話機１に提供（送信）する。その情報の提供を受けた携帯電話機１は、その情報を表示部１３に表示したり、店舗の案内をスピーカ１２ａから出力したりしてユーザに提示する。さらに、携帯電話機１が無線通信機器５との無線通信を開始した後、携帯電話機１は、無線通信機器５経由で他の携帯電話機機との間で、例えば、ＶｏＩＰなどによる通話や、電子メールの送受信（この時、情報提供サーバ４がメールサーバとして機能してもよい）を行うこともできる。これにより、携帯電話機１は、最小電力での接続待機状態であっても、無線通信機器５経由で、即時的に音声着信して通話を行うことができ、また、電子メールの即時的着信を行うことができる。
【００７０】
また、例えば、エリアに応じた情報が、マナーモード設定指示を示す情報若しくはオフラインモード設定指示を示す情報であった場合には、携帯電話機１は、その情報に基づいて、マナーモードに設定、或いはオフラインモードに設定することとなる。
【００７１】
なお、上記ステップＳ３において、情報提供サーバ４の制御部４２は、エリア情報データベース４３ｂに基づき、特定されたエリア内若しくはその近傍に無線通信機器が設置されているか否かを判断し、無線通信機器が設置されている場合には、携帯電話機１が最小電力での接続待機状態を解除するため指示情報を、通信回線７及びＲＦＩＤリーダ３に送信するように構成してもよい。この場合、ＲＦＩＤリーダ３は、かかる情報に対応する無線電波を発信し、ＲＦＩＤタグ２は、その無線電波を受信しその情報を読取り、携帯電話機１に最小電力での接続待機状態を解除するためのトリガ信号を出力する。これにより、携帯電話機１は、最小電力での接続待機状態を解除し待機電力を上げて通常電力で接続待機状態に切り換え、そのエリア内若しくはそのエリア近傍に設置された無線通信機器５との無線通信を開始することになる。
【００７２】
また、上記ステップＳ２において、情報提供サーバ４の制御部４２は、ＲＦＩＤリーダ３が設置されたエリアを特定した後、他の携帯電話機からの通話要求或いは、メール着信要求があった場合に、ステップＳ３に移行して、特定されたエリア内若しくはその近傍に無線通信機器が設置されているか否かを判断し、無線通信機器が設置されている場合には、携帯電話機１が最小電力での接続待機状態を解除するため指示情報を、通信回線７及びＲＦＩＤリーダ３に送信するように構成してもよい。これにより、携帯電話機１は、最小電力での接続待機状態を解除し待機電力を上げて通常電力で接続待機状態に切り換え、そのエリア内若しくはそのエリア近傍に設置された無線通信機器５（無線ＬＡＮ）経由で、即時的に他の携帯電話機との通話或いは、電子メール着信を行うことができる。
【００７３】
以上説明したように、本実施形態によれば、携帯電話機１が最小電力で接続待機する状態であっても、携帯電話機１に対し、より効果的にその携帯電話機１が滞在するエリアに応じた情報を提供することができる。また、携帯電話機１に様々なメディアへの接続機能が付加されていても、待機電力が大きい接続待機時間を最小限にすることができる。
【００７４】
また、携帯電話機１が最小電力で接続待機する状態であっても、携帯電話機１は、無線ＬＡＮ経由で他の携帯電話機との間で即時的に音声着信して通話を行うことができ、また、電子メールの即時的着信を行うことができる。
【００７５】
また、ＲＦＩＤリーダ３を電車やバスの車両内に設置すれば、より効果的に、その車両に入った携帯電話機１をマナーモードに設定、或いはオフラインモードに設定することができる。
【００７６】
なお、上記実施形態においては、携帯電話機１とＲＦＩＤタグ２とを電気的に接続しトリガ信号を供給可能なように構成したが、携帯電話機１とＲＦＩＤタグ２とを電気的に接続しない（例えば、ＲＦＩＤタグ２を携帯電話機１のストラップに取り付ける）構成にしてもよく、この場合も、携帯電話機１が最小電力で接続待機する状態であっても、携帯電話機１が滞在するエリアに応じた情報を提供することができる。
【００７７】
なお、上記実施形態において、ＲＦＩＤタグ２が取り付けられた携帯電話機１を持ったユーザが、例えば、エリア１に入った場合、ＲＦＩＤリーダ３は、その携帯電話機１に取り付けられたＲＦＩＤタグ２に無線電波を発信するが、その際、ＲＦＩＤタグ２は、発信された無線電波の起電力を利用して電圧を発生し、携帯電話機１に最小電力での接続待機状態を解除するためのトリガ信号を出力するように構成してもよい。
【００７８】
【発明の効果】
以上説明したように、本発明によれば、移動体通信端末が最小電力で接続待機する状態であっても、移動体通信端末は、滞在するエリアに応じた情報の提供を受けることができ、また、例えば、無線ＬＡＮ経由で即時的に音声着信して通話を行うことができ、また、電子メールの即時的着信を行うことができる。
【図面の簡単な説明】
【図１】情報提供システムＳの概要構成例を示した図である。
【図２】携帯電話機１の機能ブロック例を示した図である。
【図３】ＲＦＩＤタグ２及びＲＦＩＤリーダ３の機能ブロック例を示した図である。
【図４】情報提供サーバ４の機能ブロック例を示した図である。
【図５】情報提供サーバ４の制御部４２の処理を示すフローチャートである。
【符号の説明】
１  携帯電話機
２  ＲＦＩＤタグ
３  ＲＦＩＤリーダ
４  情報提供サーバ
５  無線通信機器
６  コンテンツサーバ
７，８  通信回線
９  移動体通信網
１０  無線基地局
Ｓ  情報提供システム
【図１】
2004235713.tif 000003
【図２】
2004235713.tif 000004
【図３】
2004235713.tif 000005
【図４】
2004235713.tif 000006
【図５】
2004235713.tif 000007